(57)【要約】【課題】  貯留された原液を液体ポンプにより吸入して処理する側に導入させるようにし、貯留された原液のうち、より処理されるべき原液の部分を液体ポンプに強制的に吸入させるようにして、原液の処理が、より効果的に達成されるようにする。【解決手段】  液処理装置１が、処理対象として貯留された原液２を吸入する一方、この原液２を処理する側に向かって吐出可能とする液体ポンプ１５と、貯留された原液２の液面１１に浮いた固形油脂分９を含むよう原液２の液面部分を液体ポンプ１５に吸入させる吸入規制体３２と、処理する側で処理された処理液４６を貯留された原液２に戻す戻しパイプ４５とを備える。液体ポンプ１５側に吸入規制体３２を支持させると共に、液体ポンプ１５側に戻しパイプ４５の下流側部分４８を結合する結合具５１を設ける。この結合具５１により、戻しパイプ４５の下流側部分４８の開口４９の向きを任意の方向に可変とする。【選択図】  図１
2006068608.tif 000002
【特許請求の範囲】
【請求項１】
処理対象として貯留された原液を吸入する一方、この原液を処理する側に向かって吐出可能とする液体ポンプと、上記貯留された原液の液面に浮いた固形油脂分を含むようこの原液の液面部分を上記液体ポンプに吸入させる吸入規制体と、上記液体ポンプから吐出された原液を上記処理する側に導入させる導入パイプと、上記処理する側で処理された処理液を上記貯留された原液に戻す戻しパイプとを備えた液処理装置において、
上記液体ポンプ側に上記吸入規制体を支持させると共に、上記液体ポンプ側に上記戻しパイプの下流側部分を結合する結合具を設け、この結合具により、上記戻しパイプの下流側部分の開口の向きを任意の方向に可変としたことを特徴とする液処理装置。
【請求項２】
上記原液を貯留する貯留槽と、上記原液を処理する処理槽とを備えたことを特徴とする請求項１に記載の液処理装置。
【請求項３】
上記導入パイプの上流側部分を上記液体ポンプの吐出口からほぼ鉛直方向に延出させ、上記結合具により、上記導入パイプの上流側部分の回りに上記戻しパイプの下流側部分を回動可能に結合させたことを特徴とする請求項１に記載の液処理装置。
【請求項４】
上記戻しパイプの下流側部分の開口の高さ位置を可変としたことを特徴とする請求項１に記載の液処理装置。
【請求項５】
上記吸入規制体が、上下に伸縮可能とされて上記貯留された原液に没入される有底の筒体と、この筒体の内部に配置されてこの筒体の上端部に連結され、上記筒体の外部の原液を内部に向かって流入可能とさせる流入堰を兼ねるフロートとを備え、上記筒体の内底部の原液を上記液体ポンプに吸入させる吸入パイプを設け、この吸入パイプにより上記筒体を液体ポンプ側に支持させたことを特徴とする請求項１に記載の液処理装置。
【発明の詳細な説明】
【技術分野】
【０００１】
本発明は、例えば、レストランの厨房などから排出された原液から固形油脂分（ラード（ｌａｒｄ）油など）を除去処理するなどの液処理を可能とする液処理装置に関するものである。
【背景技術】
【０００２】
上記液処理装置には、従来、下記特許文献１に示されるものがある。この出願のものによれば、上記液処理装置は、処理対象となる原液を貯留する貯留槽と、この貯留槽内に設置され上記原液を吸入する一方、吐出可能とする液体ポンプと、上記貯留槽の原液の液面に浮いた固形油脂分を含むよう原液の液面部分を上記液体ポンプに吸入させる吸入規制体と、上記原液を処理可能とする処理槽と、上記液体ポンプから吐出された原液を上記処理槽に導入させる導入パイプと、上記処理槽で処理された処理液を上記貯留槽に戻す戻しパイプとを備えている。
【０００３】
上記液処理装置により、原液を処理する場合には、まず、上記貯留槽に原液が導入されて、一旦、上記貯留槽に貯留される。
【０００４】
ここで、上記原液が、厨房から排出されたものである場合には、この原液は、水、動物のラード油、および、その他の食品油などを含んでいる。上記ラード油は上記貯留槽において常温で固化するものであり、これが固化すると、固形油脂分として上記原液の液面に浮くこととなる。
【０００５】
上記状態で、上記液体ポンプを駆動させると、上記吸入規制体により、上記貯留槽内の固形油脂分を含むよう原液の液面部分が上記液体ポンプにより吸入される一方、吐出されて、上記導入パイプを通し上記処理槽に連続的に導入される。そして、この処理槽において、上記原液中の固形油脂分が連続的に除去処理される。このように固形油脂分が除去処理された後の処理液は、上記戻しパイプを通し上記貯留槽に戻され、上記原液に混合される。
【０００６】
以下、上記液処理装置による固形油脂分の除去処理が連続的に繰り返されることにより、上記貯留槽における固形油脂分が次々と除去される。そして、上記したように液処理装置により原液が処理される一方、上記貯留槽の底部にあって、上記固形油脂分を含まない原液は、下水側に向かって連続的に排出される。
【０００７】
【特許文献１】特願２００４−１０９２５３号明細書および図面
【発明の開示】
【発明が解決しようとする課題】
【０００８】
ところで、上記したように、液処理装置により原液を処理する場合、上記貯留槽の隅部など、原液の液面の一部に固形油脂分の塊群が滞留しがちとなる。すると、これら固形油脂分の塊群が層状に固まって、固形油脂分層が生じがちとなる。
【０００９】
そして、上記のような固形油脂分層が生じると、上記液体ポンプによる固形油脂分の円滑な吸入が阻害されて、上記処理槽における固形油脂分の除去処理が阻害される。即ち、上記液処理装置による効果的な原液の処理ができなくなる。
【課題を解決するための手段】
【００１０】
本発明は、上記のような事情に注目してなされたもので、本発明の目的は、貯留された原液を液体ポンプにより吸入して処理する側に導入させ、この処理する側で上記原液を処理させるようにした液処理装置において、上記貯留された原液のうち、より処理されるべき原液の部分を上記液体ポンプに強制的に吸入させるようにして、上記液処理装置による原液の処理が、より効果的に達成されるようにすることである。
【００１１】
請求項１の発明は、処理対象として貯留された原液２を吸入する一方、この原液２を処理する側に向かって吐出可能とする液体ポンプ１５と、上記貯留された原液２の液面１１に浮いた固形油脂分９を含むようこの原液２の液面部分を上記液体ポンプ１５に吸入させる吸入規制体３２と、上記液体ポンプ１５から吐出された原液２を上記処理する側に導入させる導入パイプ３９と、上記処理する側で処理された処理液４６を上記貯留された原液２に戻す戻しパイプ４５とを備えた液処理装置において、
上記液体ポンプ１５側に上記吸入規制体３２を支持させると共に、上記液体ポンプ１５側に上記戻しパイプ４５の下流側部分４８を結合する結合具５１を設け、この結合具５１により、上記戻しパイプ４５の下流側部分４８の開口４９の向きを任意の方向に可変（Ｃ）としたものである。
【００１２】
請求項２の発明は、請求項１の発明に加えて、上記原液２を貯留する貯留槽３と、上記原液２を処理する処理槽２４とを備えたものである。
【００１３】
請求項３の発明は、請求項１の発明に加えて、上記導入パイプ３９の上流側部分４０を上記液体ポンプ１５の吐出口２１からほぼ鉛直方向に延出させ、上記結合具５１により、上記導入パイプ３９の上流側部分４０の回りに上記戻しパイプ４５の下流側部分４８を回動（Ｃ）可能に結合させたものである。
【００１４】
請求項４の発明は、請求項１の発明に加えて、上記戻しパイプ４５の下流側部分４８の開口４９の高さ位置を可変（Ｄ）としたものである。
【００１５】
請求項５の発明は、請求項１の発明に加えて、上記吸入規制体３２が、上下に伸縮可能とされて上記貯留槽３の原液２に没入される有底の筒体３３と、この筒体３３の内部に配置されてこの筒体３３の上端部に連結され、上記筒体３３の外部の原液２を内部に向かって流入可能とさせる流入堰３５ｂを兼ねるフロート３５とを備え、上記筒体３３の内底部の原液２を上記液体ポンプ１５に吸入させる吸入パイプ３６を設け、この吸入パイプ３６により上記筒体３３を液体ポンプ１５側に支持させたものである。
【００１６】
なお、この項において、上記各用語に付記した符号は、本発明の技術的範囲を後述の「実施例」の項や図面の内容に限定解釈するものではない。
【発明の効果】
【００１７】
本発明による効果は、次の如くである。
【００１８】
請求項１の発明は、処理対象として貯留された原液を吸入する一方、この原液を処理する側に向かって吐出可能とする液体ポンプと、上記貯留された原液の液面に浮いた固形油脂分を含むようこの原液の液面部分を上記液体ポンプに吸入させる吸入規制体と、上記液体ポンプから吐出された原液を上記処理する側に導入させる導入パイプと、上記処理する側で処理された処理液を上記貯留された原液に戻す戻しパイプとを備えた液処理装置において、
上記液体ポンプ側に上記吸入規制体を支持させると共に、上記液体ポンプ側に上記戻しパイプの下流側部分を結合する結合具を設け、この結合具により、上記戻しパイプの下流側部分の開口の向きを任意の方向に可変としている。
【００１９】
ここで、上記液処理装置により原液を処理する場合には、上記原液を貯留したところの隅部など、原液の一部が滞留しがちとなる。
【００２０】
そこで、上記原液の滞留が生じがちな液面の部分に、上記吸入規制体に向かう対流を生じさせるよう、上記戻しパイプの下流側部分の開口の向きを定める。つまり、上記戻しパイプの下流側部分の開口から排出されて、上記貯留された原液に戻される処理液の勢いにより、上記対流を生じさせる。このようにすれば、上記原液のうち、より処理されるべき原液の部分が、上記吸入規制体に向けて流動させられて、この吸入規制体を通し上記液体ポンプに強制的に吸入される一方、上記処理する側に向けて吐出される。
【００２１】
よって、上記液処理装置による原液の処理が、より効果的に達成される。
【００２２】
また、上記したように、液体ポンプ側に上記吸入規制体を支持させると共に、上記液体ポンプ側に戻しパイプの下流側部分が結合されている。このため、これら吸入規制体と戻しパイプの下流側部分とは常に連係することにより互いに接近した配置が可能となり、これら両者の間に原液の滞留が生じることは抑制される。
【００２３】
よって、上記戻しパイプの下流側部分の開口を上記吸入規制体から離反する任意の方向に向かわせることができる。この結果、上記開口から排出されて上記貯留された原液に戻される処理液の勢いにより、上記貯留された原液の、より広い範囲の液面に沿って対流を生じさせることができる。このため、処理されるべき原液の部分のより多くの量を、上記吸入規制体に向かわせることができる。
【００２４】
また、上記したように、液体ポンプ側に吸入規制体と戻しパイプの下流側部分とが結合されてこれらがユニットとされている。このため、上記液体ポンプ、吸入規制体、および戻しパイプの下流側部分を上記貯留された原液内に設置する作業や、この原液内からの取り出し作業は一体的にできる。よって、上記液体ポンプ、吸入規制体、および戻しパイプの下流側部分が個別に設けられている場合に比べて、上記各作業が容易にできる。
【００２５】
請求項２の発明は、上記原液を貯留する貯留槽と、上記原液を処理する処理槽とを備えている。
【００２６】
このため、上記貯留槽の内壁面を利用することにより、上記対流をより容易かつ確実に上記吸入規制体に向かわせることができる。よって、その分、上記液処理装置による原液の処理が、更に効果的に達成される。
【００２７】
請求項３の発明は、上記導入パイプの上流側部分を上記液体ポンプの吐出口からほぼ鉛直方向に延出させ、上記結合具により、上記導入パイプの上流側部分の回りに上記戻しパイプの下流側部分を回動可能に結合させている。
【００２８】
このため、上記戻しパイプの下流側部分の開口の向きを任意の方向に可変とする構成として、上記導入パイプの上流側部分が利用されている。よって、この上流側部分が利用された分、上記戻しパイプの下流側部分の開口の向きを変更させるための構成を簡単にできる。つまり、上記液処理装置の構成を簡単にできる。
【００２９】
請求項４の発明は、上記戻しパイプの下流側部分の開口の高さ位置を可変としている。
【００３０】
このため、上記戻しパイプの下流側部分の開口の高さ位置を所望高さにすることにより、下記するように、原液の液面における対流の状態を種々選択できる。
【００３１】
第１に、上記液面上で上記開口を低く位置させると、この開口から排出される処理液の上記液面に対する傾斜角を小さくできて、上記対流を強い流れにできる。
【００３２】
第２に、上記液面上で上記開口を高く位置させると、上記傾斜角を大きくできて、上記対流を弱い流れにできる。
【００３３】
第３に、上記液面下に上記開口を位置させると、この開口から排出される処理液は上記原液に直接混入されて、この原液の液面に激しく衝突するということが防止される。よって、上記開口の高さ位置は、原液中に洗剤成分が多くて泡立ちを抑えたい場合に、有益である。
【００３４】
請求項５の発明は、上記吸入規制体が、上下に伸縮可能とされて上記貯留された原液に没入される有底の筒体と、この筒体の内部に配置されてこの筒体の上端部に連結され、上記筒体の外部の原液を内部に向かって流入可能とさせる流入堰を兼ねるフロートとを備え、上記筒体の内底部の原液を上記液体ポンプに吸入させる吸入パイプを設けている。
【００３５】
このため、上記液体ポンプを駆動させると、上記吸入規制体の筒体内の原液が上記液体ポンプの吸入口に吸入され、上記筒体内の原液の液面が少し下降する。すると、この液面の下降に伴って上記フロートが下降し、このフロートの流入堰が下降する。これにより、上記フロートの流入堰を越えて上記筒体内に外部の原液の液面部分が流入する。
【００３６】
そして、上記したように、筒体内に原液が流入すると、この筒体内の原液の液面が直ちに上昇する。すると、この液面の上昇に伴って上記フロートが上昇し、このフロートの流入堰が液面上に上昇し、これにより、上記筒体内への外部からの原液の流入が規制される。
【００３７】
以下、上記液体ポンプの駆動に伴い上記フロートの少しの下降の動作と、この下降後に直ちに上昇するという動作の繰り返しにより、上記筒体の外部における原液の液面部分が上記筒体を通し液体ポンプに吸入される。
【００３８】
即ち、例えば、上記液処理装置により原液の液面に浮く固形油脂分の除去処理をしようとする場合、上記原液の液面に浮いた固形油脂分は、上記吸入規制体により効率よく上記液体ポンプに吸入されて上記処理する側に導入される。この結果、上記液処理装置による原液からの固形油脂分の除去処理は、より効果的に達成される。
【００３９】
また、上記吸入パイプにより上記筒体を液体ポンプ側に支持させている。
【００４０】
このため、上記筒体を液体ポンプ側に支持させるための別途の支持部材は不要となる。よって、上記液処理装置の構成を簡単にできる。
【発明を実施するための最良の形態】
【００４１】
本発明の液処理装置に関し、貯留された原液を液体ポンプにより吸入して処理する側に導入させ、この処理する側で上記原液を処理させるようにした液処理装置において、上記貯留された原液のうち、より処理されるべき原液の部分を上記液体ポンプに強制的に吸入させるようにして、上記液処理装置による原液の処理が、より効果的に達成されるようにする、という目的を実現するため、本発明を実施するための最良の形態は、次の如くである。
【００４２】
即ち、液処理装置は、処理対象として貯留された原液を吸入する一方、この原液を処理する側に向かって吐出可能とする液体ポンプと、上記貯留された原液の液面に浮いた固形油脂分を含むようこの原液の液面部分を上記液体ポンプに吸入させる吸入規制体と、上記液体ポンプから吐出された原液を上記処理する側に導入させる導入パイプと、上記処理する側で処理された処理液を上記貯留された原液に戻す戻しパイプとを備えている。
【００４３】
上記液体ポンプ側に上記吸入規制体を支持させると共に、上記液体ポンプ側に上記戻しパイプの下流側部分を結合する結合具が設けられ、この結合具により、上記戻しパイプの下流側部分の開口の向きが任意の方向に可変とされている。
【実施例】
【００４４】
本発明をより詳細に説明するために、その実施例を添付の図に従って説明する。
【００４５】
図において、符号１は液処理装置であって、この液処理装置１は、レストランなどの厨房から排出される原液２を処理するためのものである。この原液２は、水、食品塊などの固形物、動物のラード油、および、その他の食品油などを含んでいる。
【００４６】
上記液処理装置１は、この液処理装置１の処理対象となる原液２を貯留する貯留槽３を備えている。この貯留槽３はグリース阻集器といわれるもので、その一部４と他部５とが仕切体６により仕切られている。この仕切体６の下部には、上記一部４を他部５に連通させる連通路７が形成されている。上記貯留槽３の一部４は上記原液２の導入部とされ、上記一部４には上記原液２中の固形分を捕捉するフィルター８が設けられている。
【００４７】
上記ラード油は、上記貯留槽３において常温で固化するものであり、これが、固化すると、固形油脂分９として上記原液２の液面１１に浮くこととなる。
【００４８】
上記貯留槽３に貯留された原液２の液面１１が所定高さに達したとき、上記貯留槽３の底部の原液２を下水道側に排出させる排水通路１２が形成されている。上記貯留槽３の底部にあって、上記固形油脂分９を含まない原液２が、上記排水通路１２を通し排出されることにより、上記原液２の液面１１の高さが上記所定高さに保たれる。
【００４９】
上記貯留槽３の他部５の原液２に対し出し入れ可能に没入される液体ポンプ１５が設けられている。この液体ポンプ１５は電動式で、上記貯留槽３の底面に載置可能とされる架台１６、この架台１６に支持されるケーシング１７、このケーシング１７に収容される遠心式のインペラ１８、および上記ケーシング１７の上部に突設される把手１９を備えている。上記ケーシング１７の下面に吸入口２０が形成され、上記ケーシング１７の側部に吐出口２１が形成されている。上記液体ポンプ１５を駆動させると、この液体ポンプ１５は上記吸入口２０を通し原液２をケーシング１７内に吸入する一方、吐出口２１から原液２を外部に吐出可能とする。
【００５０】
上記原液２を処理可能とする処理槽２４が設けられている。具体的には、この処理槽２４は、上記原液２に含まれる固形油脂分９を除去処理するためのものである。
【００５１】
上記処理槽２４は、その外殻を構成して床面上に設置されたハウジング２５と、このハウジング２５内の上部に形成される原液２の貯留部２６と、この貯留部２６の液面に浮いた固形油脂分９を一方向に押し集める押動体２７と、この押動体２７により押し集められてくる固形油脂分９を次々と所定部位に向けて落下させる排出ダクト２８と、上記ハウジング２５に対し出し入れ可能に挿入されて上記ダクト２８の下方に配置される上記固形油脂分９用の収集容器２９とを備えている。
【００５２】
上記液体ポンプ１５を駆動させたとき、上記原液２の液面１１に浮いた固形油脂分９を含むよう原液２の液面部分のみを上記液体ポンプ１５に吸入させる吸入規制体３２が設けられている。この吸入規制体３２は、上記貯留槽３の原液２に没入される有底の筒体３３を備えている。この筒体３３は、その下端部を構成する椀形状で金属製の基部３３ａと、鉛直方向に延びる軸心３４上で上記基部３３ａの上方に位置し、下端部がこの基部３３ａに結合されて上下に伸縮可能とされる弾性で蛇腹形状の伸縮体３３ｂとを備えている。
【００５３】
また、上記吸入規制体３２は、上記軸心３４上で上記筒体３３の内部に配置されてこの筒体３３の上端部に連結される円環形状のフロート３５を備えている。このフロート３５の内部は、上記筒体３３の外部からその内部に原液２を流入可能とさせる流入口３５ａとされている。また、上記フロート３５の上部は、上記筒体３３の外部から上記流入口３５ａへの原液２の流入を規制する流入堰３５ｂとされている。
【００５４】
また、一端部が上記液体ポンプ１５の吸入口２０に結合され、他端部が上記筒体３３の下端部の基部３３ａに結合されて上記筒体３３の内底部の原液２を上記液体ポンプ１５に吸入させる吸入パイプ３６が設けられている。この吸入パイプ３６は金属製であり、この吸入パイプ３６により、上記筒体３３の基部３３ａが上記液体ポンプ１５側に固定されて片持ち支持されている。
【００５５】
上記吸入規制体３２は次のように作動する。即ち、上記筒体３３内の原液２が少ないと、その分、上記フロート３５は下降Ａし、このフロート３５の下降Ａに伴い、上記筒体３３の伸縮体３３ｂは、その上端部が下降するよう収縮する。すると、上記フロート３５上部の流入堰３５ｂを越えて上記流入口３５ａを通り上記筒体３３内に外部の原液２が流入し、これに伴いフロート３５が上昇Ｂする。そして、上記筒体３３内が原液２で満たされると、上記フロート３５が大きく上昇Ｂして、上記フロート３５上部の流入堰３５ｂが上記原液２の液面１１上にまで上昇Ｂさせられる（図３中一点鎖線）。
【００５６】
一端部が上記液体ポンプ１５の吐出口２１に連結され、他端部が上記処理槽２４に連結される断面円形の導入パイプ３９が設けられている。この導入パイプ３９は、上記液体ポンプ１５の吐出口２１から吐出された原液２を上記処理槽２４の貯留部２６に導入させる。上記導入パイプ３９は、上記処理槽２４の貯留部２６の底部側であって上記液体ポンプ１５の吐出口２１側から延出する金属パイプ製の上流側部分４０と、この上流側部分４０と上記処理槽２４とを連通させる下流側部分４１とを備えている。
【００５７】
上記下流側部分４１は、上記処理槽２４の貯留部２６の底部側から下側に向かって延出する金属製のパイプ４１ａと、このパイプ４１ａの延出端と上記上流側部分４０の下流端とを連通させる可撓性で樹脂製のホース４１ｂとを備えている。上記上流側部分４０は、上記液体ポンプ１５の吐出口２１側からほぼ鉛直方向に延出している。また、上記上流側部分４０は、上記液体ポンプ１５に固定具４２により固定されている。
【００５８】
一端部が上記処理槽２４に連結され、他端部が上記液体ポンプ１５の近傍に配置される戻しパイプ４５が設けられている。この戻しパイプ４５は、上記処理槽２４で固形油脂分９が除去処理された後の処理液４６を上記貯留槽３に戻す。上記戻しパイプ４５は、上記処理槽２４の貯留部２６の液面部分側から延出する上流側部分４７と、この上流側部分４７の延出端部に取り付けられる金属製の下流側部分４８とを備えている。
【００５９】
上記上流側部分４７は、上記処理槽２４の貯留部２６の液面部分側から下側に向かって延出する金属製のパイプ４７ａと、このパイプ４７ａの延出端と上記下流側部分４８の上流端とを連通させる可撓性で樹脂製のホース４７ｂとを備えている。また、上記下流側部分４８の下流端の開口４９は、水平方向に細長く延びるノズル孔とされ、上記開口４９はほぼ水平方向に向かって開いている。
【００６０】
上記戻しパイプ４５の下流側部分４８を上記導入パイプ３９の上流側部分４０に弛緩可能に結合する結合具５１が設けられている。この結合具５１は、上記導入パイプ３９の上流側部分４０に外嵌されて、この上流側部分４０を上記戻しパイプ４５の下流側部分４８に弛緩可能に締結させるＵ字形締結具５２を備えている。つまり、上記戻しパイプ４５の下流側部分４８は、上記結合具５１により、上記導入パイプ３９の上流側部分４０を介して上記液体ポンプ１５に結合されている。
【００６１】
上記結合具５１を弛緩させれば、第１に、上記戻しパイプ４５の下流側部分４８は上記導入パイプ３９の上流側部分４０の軸心回りに回動（Ｃ）可能である。これにより、上記戻しパイプ４５の下流側部分４８の開口４９の向きがほぼ水平な任意方向に可変とされている。
【００６２】
また、第２に、上記戻しパイプ４５の下流側部分４８は上記導入パイプ３９の上流側部分４０の軸方向に沿って上下に移動（Ｄ）可能である。これにより、上記戻しパイプ４５の下流側部分４８の開口４９の高さ位置が任意に可変（Ｄ）とされている。より具体的には、上記戻しパイプ４５の下流側部分４８の開口４９は、上記原液２の液面１１上に位置させることも、液面１１下に位置させることもできる。
【００６３】
また、上記液処理装置１の各部構成部品である液体ポンプ１５や押動体２７などを電子的に制御する制御装置５４が設けられている。この制御装置５４は上記処理槽２４のハウジング２５の内部に設置されている。
【００６４】
上記液処理装置１により原液２を処理する作業につき説明する。
【００６５】
まず、上記液体ポンプ１５を駆動させる。すると、上記吸入パイプ３６を通して上記筒体３３内の原液２が上記液体ポンプ１５の吸入口２０に吸入され、上記筒体３３内の原液２の液面１１が少し下降Ａする。すると、この液面１１の下降Ａに伴って上記フロート３５が下降Ａし、このフロート３５上部の流入堰３５ｂが下降Ａする。これにより、このフロート３５上部の流入堰３５ｂを越えて上記流入口３５ａを通り上記筒体３３内に外部の原液２の液面部分が流入する。
【００６６】
そして、上記したように、筒体３３内に原液２が流入すると、この筒体３３内の原液２の液面１１が直ちに上昇Ｂする。すると、この液面１１の上昇Ｂに伴って上記フロート３５が上昇Ｂし、このフロート３５の流入堰３５ｂが液面１１上に上昇Ｂし（図３中一点鎖線）、これにより、上記筒体３３内への外部からの原液２の流入が規制される。
【００６７】
以下、上記液体ポンプ１５の駆動に伴い上記フロート３５の少しの下降Ａの動作と、この下降Ａ後に直ちに上昇Ｂするという動作の繰り返しにより、上記筒体３３の外部における原液２の液面部分のみが上記筒体３３を通し液体ポンプ１５の吸入口２０に吸入される。
【００６８】
即ち、上記したように、液処理装置１により原液２の液面１１に浮く固形油脂分９の除去処理をしようとする場合、上記吸入規制体３２によれば、上記原液２の液面１１に浮いた固形油脂分９は、効率よく上記液体ポンプ１５に吸入されて上記処理槽２４に導入される。
【００６９】
上記液体ポンプ１５に吸入された原液２は上記吐出口２１から吐出され、この吐出された原液２は上記導入パイプ３９を通し上記処理槽２４に連続的に導入される。そして、この処理槽２４において、上記原液２中の固形油脂分９が連続的に除去処理される。このように固形油脂分９が除去処理された後の処理液４６は、上記戻しパイプ４５を通し、上記貯留槽３に戻され上記原液２に混合される。
【００７０】
以下、上記液処理装置１による固形油脂分９の除去処理が連続的に繰り返されることにより、上記貯留槽３における固形油脂分９が次々と除去される。そして、上記したように、液処理装置１により原液２が処理される一方、上記貯留槽３の底部にあって、上記固形油脂分９を含まない原液２は、排水通路１２を通り下水側に向かって連続的に排水される。
【００７１】
上記構成によれば、上記液体ポンプ１５側に上記吸入規制体３２を支持させると共に、液体ポンプ１５側に上記戻しパイプ４５の下流側部分４８を結合する結合具５１を設け、この結合具５１により、上記戻しパイプ４５の下流側部分４８の開口４９の向きを任意の方向に可変（Ｃ）としている。
【００７２】
ここで、上記液処理装置１により原液２を処理する場合には、上記原液２を貯留したところである貯留槽３の隅部など、原液２の液面１１の一部に固形油脂分９が滞留しがちとなる。
【００７３】
そこで、上記貯留槽３の固形油脂分９の滞留が生じがちな液面１１の部分に上記吸入規制体３２に向かう対流を生じさせるよう、上記戻しパイプ４５の下流側部分４８の開口４９の向きを定める。つまり、上記戻しパイプ４５の下流側部分４８の開口４９から排出されて上記貯留槽３内の原液２に戻される処理液４６の勢いにより、上記対流を生じさせる。このようにすれば、特に、図２で示すように、上記原液２のうち、より処理されるべき原液２の部分である固形油脂分９が、上記吸入規制体３２の流入口３５ａに向けて流動させられて、この吸入規制体３２を通し上記固形油脂分９が上記液体ポンプ１５に強制的に吸入される一方、上記処理槽２４に向けて吐出される。
【００７４】
よって、上記液処理装置１による原液２からの固形油脂分９の除去処理が、より効果的に達成される。
【００７５】
また、上記したように、液体ポンプ１５側に上記吸入規制体３２を支持させると共に、上記液体ポンプ１５側に戻しパイプ４５の下流側部分４８が結合されている。このため、これら吸入規制体３２の流入口３５ａと戻しパイプ４５の下流側部分４８とは常に連係することにより互いに接近した配置が可能となり、これら両者３２，４８の間に原液２の固形油脂分９の滞留が生じることは抑制される。
【００７６】
よって、上記戻しパイプ４５の下流側部分４８の開口４９を上記吸入規制体３２から離反する任意の方向に向かわせることができる。この結果、上記開口４９から排出されて上記貯留された原液２内に戻される処理液４６の勢いにより、上記貯留槽３の原液２の液面１１の、より広い範囲の液面１１に沿って対流を生じさせることができる。このため、処理されるべき原液２の部分である固形油脂分９のより多くの量を、上記吸入規制体３２の流入口３５ａに向かわせることができる。
【００７７】
また、上記したように、液体ポンプ１５側に吸入規制体３２と戻しパイプ４５の下流側部分４８とが結合されてこれらがユニットとされている。このため、上記液体ポンプ１５、吸入規制体３２、および戻しパイプ４５の下流側部分４８を上記貯留槽３内の原液２中に設置する作業や、この貯留槽３の原液２からの取り出し作業は、上記把手１９を把持することにより一体的にできる。よって、上記液体ポンプ１５、吸入規制体３２、および戻しパイプ４５の下流側部分４８が個別に設けられている場合に比べて、上記各作業が容易にできる。
【００７８】
また、前記したように、原液２を貯留する貯留槽３と、上記原液２を処理する処理槽２４とを備えている。
【００７９】
このため、上記貯留槽３の内壁面を利用することにより、上記対流をより容易かつ確実に上記吸入規制体３２の流入口３５ａに向かわせることができる。よって、その分、上記液処理装置１による原液２の処理が、更に効果的に達成される。
【００８０】
また、前記したように、導入パイプ３９の上流側部分４０を上記液体ポンプ１５の吐出口２１からほぼ鉛直方向に延出させ、上記結合具５１により、上記導入パイプ３９の上流側部分４０の回りに上記戻しパイプ４５の下流側部分４８を回動（Ｃ）可能に結合させている。
【００８１】
このため、上記戻しパイプ４５の下流側部分４８の開口４９の向きを任意の方向に可変とする構成として、上記導入パイプ３９の上流側部分４０が利用されている。よって、この上流側部分４０が利用された分、上記戻しパイプ４５の下流側部分４８の開口４９の向きを変更させるための構成を簡単にできる。つまり、上記液処理装置１の構成を簡単にできる。
【００８２】
また、前記したように、戻しパイプ４５の下流側部分４８の開口４９の高さ位置を可変（Ｄ）としている。
【００８３】
このため、上記戻しパイプ４５の下流側部分４８の開口４９の高さ位置を所望高さにすることにより、下記するように、原液２の液面１１における対流の状態を種々選択できる。
【００８４】
第１に、上記液面１１上で上記開口４９を低く位置させると、この開口４９から排出される処理液４６の上記液面１１に対する傾斜角を小さくできて、上記対流を強い流れにできる。
【００８５】
第２に、上記液面１１上で上記開口４９を高く位置させると、上記傾斜角を大きくできて、上記対流を弱い流れにできる。
【００８６】
第３に、上記液面１１下に上記開口４９を位置させると、この開口４９から排出される処理液４６は上記原液２に直接混入されて、この原液２の液面１１に激しく衝突するということが防止される。よって、上記開口４９の高さ位置は、原液２中に洗剤成分が多くて泡立ちを抑えたい場合に、有益である。
【００８７】
なお、以上は図示の例によるが、上記金属製とあるは、硬質で剛性のある樹脂製としてもよい。また、上記戻しパイプ４５の下流側部分４８の開口４９の向きにつき、上記結合具５１によってその仰角や俯角の値を可変としてもよい。また、上記戻しパイプ４５の下流側部分４８は結合具５１により上記液体ポンプ１５に直接に結合させてもよい。
【００８８】
また、上記液処理装置１は、工場などから排出される原液２を処理するものであってもよい。
【図面の簡単な説明】
【００８９】
【図１】液処理装置の全体側面部分破断図である。
【図２】液処理装置の平面図である。
【図３】図１の部分拡大図である。
【図４】図２の部分拡大図である。
【符号の説明】
【００９０】
１    液処理装置
２    原液
３    貯留槽
９    固形油脂分
１１  液面
１５  液体ポンプ
２０  吸入口
２１  吐出口
２４  処理槽
３２  吸入規制体
３３  筒体
３４  軸心
３５  フロート
３６  吸入パイプ
３９  導入パイプ
４０  上流側部分
４１  下流側部分
４５  戻しパイプ
４６  処理液
４７  上流側部分
４８  下流側部分
４９  開口
５１  結合具
Ａ    下降
Ｂ    上昇
【図１】
2006068608.tif 000003
【図２】
2006068608.tif 000004
【図３】
2006068608.tif 000005
【図４】
2006068608.tif 000006